(57)【要約】      （修正有）【課題】徘徊老人等の行方不明者の身元判別、保護、引き取りを迅速かつ簡易に行う身元確認システムと身元確認シールを提供する。【解決手段】身元確認システムはユーザー５、行方不明者の身元照会を行う照会者（身元不明者の発見者・保護者）６及び身元確認サーバ１から構成され、それぞれがインターネット４等の回線を介して接続可能となっている。個人を特定する識別番号を記録したＱＲコードが印刷された身元確認シールを個人ユーザーや仲介者（老人福祉施設、地方自治体、警察等）に配布する。ＱＲコードを読み取り情報を登録後に対象となる人の体や持ち物に当該シールを貼着するのである。身元不明者発見時に照会者６がＱＲコードを読み取り身元確認サーバ１へ情報を提示することで身元判別、保護が迅速かつ容易に達成できるのである。【選択図】図１
0003199862.tif 000002
【実用新案登録請求の範囲】
【請求項１】
身元確認対象に取り付ける、ユーザー識別番号を記録した二次元コードシールと、
ユーザーと、身元確認対象の身元照会者との間に介在する身元確認サーバから構成される身元確認システムであって、
前記身元確認サーバは、
ユーザー情報登録手段と、
ユーザー情報変更手段と、
身元照会者が二次元コードから読み取ったユーザー識別番号確認手段と、
身元照会者が読み取った識別番号とユーザーの識別番号とが一致する場合の身元照会者へのユーザー情報通知手段とを有することを
特徴とする身元確認システム。
【請求項２】
身元確認対象が発見された事をユーザーへ通知する手段を有する請求項１記載の身元確認システム。
【請求項３】
請求項１又は請求項２記載の身元確認システムに使用される皮膚に貼着可能な二次元コードシール。
【請求項４】
身元確認対象が人、動物、物である請求項１又は請求項２記載の身元確認システム。
【考案の詳細な説明】
【技術分野】
【０００１】
この考案は人やペットの身元確認シール及び身元確認シールを利用した身元確認システムに関する。より詳しくは徘徊老人や迷子、ペット等の体に貼着した二次元コードシールから情報を読み取り、身元を迅速かつ安全につきとめることができるシステム及び身元確認シール（二次元コードシール）に関する考案である。
【背景技術】
【０００２】
徘徊老人の身元確認システムとして、特許文献１に示す個人情報を記録した二次元コードを読み取り、個人を特定するシステムがある。
【０００３】
また、ユーザーの身元を確認する身元確認システム及び方法として特許文献２記載の発明がある。
【先行技術文献】
【特許文献】
【０００４】
【特許文献１】実用新案登録第３１９６４３７号公報
【特許文献２】特開２０１２―２０８８５６号公報
【考案の概要】
【考案が解決しようとする課題】
【０００５】
２０１３年時点での高齢化率は２５．０％、全人口の内４人に一人が高齢者となっており、今後は更に高齢化が進むと予想される。更にそのうちの１５％が認知症発症者とその予備軍とされている。認知症の主な症状は記憶障害が中核症状とされ、記憶障害、判断力の低下、時間、場所、名前等が分からなくなる見当障害等がある。
【０００６】
このような認知症を原因とする徘徊による行方不明者が年間１万人を超え、その対策としてＧＰＳ機能を有する端末機をもたせて位置確認を行っているがコストがかかり、電池切れの恐れがあるうえ、常に端末を身につけて出かけるとは限らない。
一方、徘徊老人を保護したとしても認知症が進んでいると自分の名前や住所を的確に答えられず、身元確認を行うことが困難なため警察や自治体等公共機関であっても受け入れ態勢が整っていないところがある。
【０００７】
そこで、情報を格納したマトリックス型二次元コード（ＱＲコード：登録商標）を印刷したラベルやシールを対象者や対象物に貼着して身元確認を行うシステムの考案がある（特許文献１）。
【０００８】
しかしながら、徘徊者を発見するすべての人が善意であるとは限らず、特許文献１記載の身元確認システムでは、ＱＲコードから容易に個人情報が取得できてしまい、セキュリティ上問題がある。特に、迷子の捜索等子供を対象とした場合は誘拐を誘発する原因となってしまう。
【０００９】
そこで、本願では個人を特定する識別番号を記録したＱＲコードを作成し、これを印刷した身元確認シールを仲介者（老人福祉施設、地方自治体、警察等）を介して、ユーザーに配布、販売する。需要者はシールに表示されたＱＲコードを読み取り、当該コードに関連付けて必要な情報の登録を行うのである。一方、行方不明となった対象者を発見、保護した者と被捜索人家族（ユーザー）との連絡手段をあらかじめ設定しておき、直接或いは、第三者や公共機関等（仲介者）を介在させて万全のセキュリティを確保しながら被捜索
人の身元確認を簡易且つ迅速に行うことを目的とする。
【課題を解決するための手段】
【００１０】
上記課題を解決するために、本考案では個人の識別番号を記録したＱＲコードを表示した身元確認シール（二次元コードシール）と、身元確認対象（人、物、ペット）と身元発見者（照会者）との間に身元確認サーバを介在させて身元確認を行うのである。
【００１１】
また、身元確認シールを安全かつ長時間、人体の皮膚に貼着できるように構成するのである。
【考案の効果】
【００１２】
身元確認シールは被捜索人の持ち物は勿論、被捜索人の体そのものに貼り付けることができるため、行方不明時に持ち忘れるおそれがない。また、従来傷テープなどとして使用されていた医療品を基材とし防水性も併せ持つため、身体に数日間有効に貼着させることができ、付け外しの手間が省けると共に、人体に害を及ぼすおそれがない。
【００１３】
ＱＲコードが印刷された身元確認シールによって身元捜索、確認ができるため安価且つ容易に身元確認が可能である。
【００１４】
ＱＲコードの読み取り時には当該コードに対応させた任意の数字やアルファベットから成る識別番号を身元確認サーバが自動認識し、ＱＲコードの読み取りを行った照会者には身元確認サーバのＵＲＬとユーザーが表示許可をした情報のみが表示される。従って、悪意のある発見者が直接被捜索人家族（ユーザー）に連絡を取って悪用することがない。一方、被捜索人の家族も秘匿したい登録事項が不用意に開示されることがなく安心して本願の身元確認システムを利用することができる。また、照会者（発見者・保護者）及びユーザーは２４時間身元確認サーバにアクセスできるため、捜索が迅速に行われる。
【図面の簡単な説明】
【００１５】
【図１】本願の身元確認システムの全体構成図。
【図２】徘徊用個人ユーザー情報登録処理を示すシーケンス図。
【図３】徘徊用大口ユーザー個別情報登録処理を示すシーケンス図。
【図４】徘徊用個人ユーザー登録情報変更処理を示すシーケンス図。
【図５】徘徊用大口ユーザー個別登録情報変更処理を示すシーケンス図。
【図６】災害用救急隊員等登録情報変更処理を示すシーケンス図。
【図７】災害用管理者登録情報変更処理を示すシーケンス図。
【図８】徘徊用間接身元確認処理を示すシーケンス図。
【図９】災害用身元確認処理を示すシーケンス図。
【図１０】災害用身元確認処理（情報公開）を示すシーケンス図。
【図１１】迷子用身元確認処理を示すシーケンス図。
【考案を実施するための形態】
【００１６】
次に図面を参照しながら本願の最適な実施形態について詳説する。
【００１７】
図１は本考案の実施形態を実現する身元確認システム全体を表す構成図である。図中において２はユーザー端末（パソコン又は携帯電話）、３は照会者（発見者・保護者）端末（パソコン又は携帯電話）、１はユーザー・照会者との間に介在して、被捜索者情報等の登録や照会者への情報提示を行う、ポータルサイトを運営する身元確認サーバ１である。
【００１８】
また、これらはネットワークであるインターネット４を介して接続され、相互に通信可能となっている。
【００１９】
身元確認サーバ１は、ユーザー情報登録部１１、ユーザー情報変更部１２、記憶部１３、身元確認部１４を有する。
【００２０】
本願の身元確認システムの大まかな流れを説明する前に、請求項１記載の身元確認シールについて説明する。
【００２１】
身元確認シールの基材は老人や子供でも安心して使用できるように、柔らかく、肌に優しい素材であることが好ましい。柔軟性、伸縮性を有し、公知の傷テープ等の医療品に使用されている素材から成る。
【００２２】
例えば、植物天然繊維，ナイロン繊維，ビニロン繊維，ポリエステル繊維，ポリエチレン繊維，ポリプロピレン繊維等の合成繊維等が考えられるが、本考案ではポリオレフィンから成る。
【００２３】
粘着層としては、天然ゴム系、合成ゴム系、アクリル樹脂等の粘着剤を用いることができ、皮膚に与える刺激が少ないことが望ましい。又、長時間貼着状態が続くことも考えられるので、通気性を有することが望ましい。
【００２４】
上記粘着層をフィルムやシリコン加工紙等で形成された剥離シートに付着させて身元確認シールが完成する。剥離シートはシール個別に付着させても良いし、シート状の剥離シートに複数の身元確認シールを付着形成しても良い。
【００２５】
次にＱＲコード印刷に使用されるインクとして、まず、人体に違和感なく長期間継続的に貼り付ける小さなサイズのシールにＱＲコードを明瞭に表示できる特性を有することが必要である。次に、人体に無害であることは勿論、耐水性を有し、汗や皮脂等に対しても強くなくてはならない。このような印刷適性と印刷被膜強度の高いインクとしては公知のＵＶ硬化型インクが適していると考えられるが、上記特性を有するインクであればこれに限定されることはなく種々応用が可能である。
【００２６】
続いて、前述の身元確認シールを利用して身元確認を行う身元確認システムについて説明する。
【００２７】
認知症を発症している、或いは可能性のある本人又は家族等が本願の身元確認システムにおけるユーザー５である。身元確認サーバ１はあらかじめ個人識別番号に対応させたＱＲコードを作成し、当該ＱＲコードを印刷した身元確認シールの販売を行う。販売先は個人ユーザーに直接販売する場合と照会者からの連絡を受けて実際の身柄引き取りを行う、老人介護施設や地方公共団体等（仲介者）の大口ユーザーである。
【００２８】
大口ユーザーとしては他には、知的障害者施設、知的障害者が働く作業所、公共施設、医療関係施設等が考えられる。また、身元確認シールを大量に購入した大口ユーザーから、利用者としての個人ユーザーへシールを販売する場合もある。
【００２９】
ここで、識別番号は利用者や第三者に推測されないため、論理に基づいた乱数を用いる等の工夫がなされている。
【００３０】
また、膨大なデータの検索、管理を容易にするためにタグが付されている。例えば、第一段階で個人ユーザー、大口ユーザーに分類され、次に、「徘徊者用」、「迷子用」、「災害用」に分類され、続いて「登録済み」、「未登録」に分類されて用途に応じた画面が表示されるのである。
【００３１】
身元確認シールを購入又は配布されたユーザー５は、身元確認システムを運営するポータルサイトの身元確認サーバ１にユーザー登録を行う。
身元確認シールにはＱＲコードと共に、ＱＲコードの使用方法が記載されている。身元確認シールを貼着された人、動物、或いは物が行方不明となり発見者（照会者）に保護、拾得されたときに、身元確認シールに表示されたＱＲコードを読み取り、表示されたＵＲＬ（身元確認サーバ１）にアクセスする。
【００３２】
身元確認サーバ１は照会者が６入力したＱＲコードから識別番号を自動認識し、ユーザー５があらかじめ登録した連絡先を照会者端末３へ表示する。
照会者６との直接連絡を選択したユーザー５は照会者６と連絡を取り合って所定の場所まで出向き、被捜索人の身柄を引き取る。
【００３３】
仲介者の連絡先を登録した場合は仲介者と照会者が連絡を取り合い仲介者が被捜索人の身柄を引き取り、仲介者から身元確認通知を受けたユーザーが仲介者のもとに保護されてきた被捜索者の身柄を引き取りに行くのである。
【００３４】
この時、照会者６の承諾を得て、被捜索人保護場所までユーザーが直接被捜索人の身柄を引き取りに行くことも可能である。照会者６との間に一度仲介者を介在させることでユーザーは安心して照会者との直接交渉を行うことができるのである。
【００３５】
次に身元確認サーバ１の作用を中心に本願のシステムを詳細に説明する。
【００３６】
主な処理内容としては、ユーザー情報登録、ユーザー登録情報変更、身元確認がある。
【００３７】
ここでは、ユーザー５は個人ユーザー５１と大口ユーザー５２とに分かれる。
まず、個人ユーザー５１の登録処理について説明し、続いて大口の個別登録処理及び大口ユーザー一括登録処理について説明する。
【００３８】
まず、個人ユーザー５１の登録処理について図２のシーケンス図を参照しながら説明する。
【００３９】
身元確認シールを購入又は配布された個人ユーザー５１は、身元確認シールに表示されたＱＲコードを読み取り、身元確認システムを運営するポータルサイトへ接続する（Ｓ１１）。
【００４０】
ＱＲコードに対応した識別番号（ＩＤ）を自動的認識した身元確認サーバ１からはデータ登録画面が送信され（Ｓ１２）、ユーザー５１が所定のデータとパスワードを入力すると（Ｓ１３）、データ確認画面が送信され（Ｓ１４）、入力内容を確認したユーザー５１がデータ決定を選択、送信すると（Ｓ１５）身元確認サーバ１から設定完了通知が送られてくる（Ｓ１６）。ユーザーが入力したデータは身元確認サーバの記憶部１３へと格納され、個人ユーザー登録処理が完了する。
【００４１】
次に、大口ユーザー５２の個別登録処理について図３を参照しながら説明する。
身元確認シールの販売数が大きくなるため、大口ユーザー５２の場合は注文を受けてから身元確認シールが作成される。その事前処理として、身元確認サーバ１からログインＩＤとパスワードが発行され大口ユーザー５２へ通知される（Ｓ１７）。この時、管理者ログイン用ＱＲコードシールも併せて発行可能である。管理者ログイン用ＱＲコードシールを読み込むことで登録後のデータ照会、編集に際し、パスワードを入力する手間が省けるのである。
【００４２】
大口ユーザー５２が身元確認サーバ１へアクセスすると（Ｓ１８）、あらかじめ発行、通知されていたＩＤとパスワードが要求され（Ｓ１９）、これを入力すると（Ｓ２０）、メニュー画面が表示され（Ｓ２１）、大口ユーザー５２が個別登録画面を選択（Ｓ２２）、身元確認サーバから送信された大口ユーザー専用のデータ登録画面（Ｓ２３）に所定のデータを入力していく。この登録画面は一つの画面で複数人の登録を可能とするもので、多数の利用者（徘徊のおそれのある者）を有する大口ユーザーのデータ登録作業を容易にする。データ入力作業が終了すると身元確認サーバ１から送信されたデータ確認画面（Ｓ２５）で入力データが正しく入力されているか確認し、決定を選択すると（Ｓ２６）設定完了通知が身元確認サーバから送られ（Ｓ２７）登録作業が完了するのである。登録データは身元確認サーバ１の記憶部１３へと格納される。
【００４３】
大口ユーザー５２の一括登録処理については身元確認サーバ１のメニュー画面から一括登録を選択するまでは上述の個別登録と同じである。一括登録を選択すると、身元確認サーバからファイル添付項目画面が送信される（例えばＣＳＶファイル）。大口ユーザー５２がデータ入力後、ファイル保存すると身元確認サーバへと送信されたデータは身元確認サーバの記憶部１３へと格納され、大口ユーザー５２へは設定完了通知が送信される（図示せず）。
【００４４】
災害用個人ユーザー登録処理は徘徊用個人ユーザー登録処理と同じ手順で行われる。ここで、災害とは台風や地震等の自然災害や大規模火災やテロなどであって、これらの災害に遭遇して身元確認が必要になる場合を想定してあらかじめユーザー情報の登録を行うものである。
【００４５】
迷子用個人ユーザー登録処理についても基本的には徘徊用個人ユーザー登録処理と同じ手順で行われる。
【００４６】
大型アミューズメントパークや大型ショッピング施設など多数の人が集まる場所での管理者が希望者（親権者、幼稚園、学校等）に身元確認シールの配布を行い、所定事項登録後、子供や生徒、児童の体又は持ち物に身元確認シールを貼るのである。最も大きな相違点はユーザーのデータ登録時にパスワード設定を不要とし、いったんデータ登録が完了すると以後管理者（施設職員等）以外のアクセスを不可能とし、一定時間が経過すると登録されたデータが削除されるのである。
【００４７】
迷子の身元確認システムは臨時且つ時限性があるため、身元確認サーバのＵＲＬに上述のような制限（時間的なもの、アクセス回数の制限等）を設けることが望ましい。登録された個人情報がいたずらに長期間保存されたり悪用されたりするおそれを低減し、保護者が安心して本願のシステムを利用することができるのである。
【００４８】
ここで被捜索者の情報として登録されるのは、被捜索者の氏名、年齢、写真、身長等の身体的な特徴、病歴、服用薬、掛かり付け病院、担当医師等の情報、ユーザーへの連絡方法（メールアドレス、電話番号、携帯電話番号等）等がある。その他の登録事項については身元確認業務を運営するサイトが独自に設定することができるものとする。
【００４９】
続いて登録情報について追加変更が生じた場合の処理について説明する。
【００５０】
まず、図４に示す徘徊用個人ユーザー登録情報変更処理について説明すると、個人ユーザー５１は配布済みの身元確認シールのＱＲコードを読み取り、身元確認サーバへアクセスする（Ｓ２８）。身元確認サーバ１はログインボタンを表示し（Ｓ２９）、ユーザー５１がログインボタンを押すと（Ｓ３０）、パスワードが要求され（Ｓ３１）、ユーザー５
１のパスワードの入力によって（Ｓ３２）、現在登録されている登録データが表示される（Ｓ３３）。必要なデータ修正を行ったユーザー５１が修正後のデータを身元確認サーバ１に送信（Ｓ３４）、データ確認画面が送信され（Ｓ３５）、所定通りデータが変更されている事を確認したユーザー５１がデータ決定ボタンを押すと（Ｓ３６）、身元確認サーバ１から設定完了画面が送信されて（Ｓ３７）、登録情報変更処理が完了するのである。
【００５１】
事前にログイン専用ユーザーＱＲコードが発行されていると、最初にＱＲコードと併せてこれを読み込むことで、ログインまで一括処理が可能となる。
【００５２】
次に個別登録を行った徘徊用大口ユーザー５２が登録データの変更処理を行う場合について説明する。大口ユーザー５２が身元確認サーバへアクセスすると（Ｓ３８）、ＩＤ・パスワードの要求画面が表示され（Ｓ３９）、これを入力、送信すると（Ｓ４０）、メニュー画面が表示され（Ｓ４１）、その中からデータ変更を選択すると（Ｓ４２）、登録済みデータが表示され（Ｓ４３）、大口ユーザー５２は該当するデータを修正するのである（Ｓ４４）。大口ユーザー５２は身元確認対象となる老人等を多数管理する福祉施設等であるため、新規利用者を追加する場合もこのデータ変更処理手続で新規登録を行う。
【００５３】
修正後のデータを反映させたデータ確認画面が身元確認サーバ１から送られてくる（Ｓ４５）。これを確認したユーザー５２がデータ決定すると（Ｓ４６）、設定完了画面が送られ（Ｓ４７）登録変更処理が終了するのである。
【００５４】
徘徊用大口一括登録変更処理手順は前述の大口個別登録変更処理手順と同様であるが、身元確認サーバ１によって表示されたメニューから一括登録選択を行うと、データ登録時と同様、ファイル添付画面が表示される。所定のデータ変更を行いファイル保存すると身元確認サーバから設定完了画面が送信されて、登録変更処理が完了するのである（図示せず）。
【００５５】
災害用個人ユーザー登録情報変更処理手続は徘徊用個人ユーザー登録情報変更処理手続と同様の手順で行われる（図示せず）。
【００５６】
続いて災害用救急隊員等登録情報変更処理手続について図６を参照しながら説明する。本願の身元確認システムは徘徊者の身元追跡、確認にとどまらず、災害時に多数の身元不明者が存在し、情報が入手困難或いは錯綜としている非常事態に効力を発揮するものと考えられる。
【００５７】
身元不明者（負傷して病院へ収容、遺体として所定場所に収容等）の人体に貼着された身元確認シールの読み取り手続だけを行って、位置情報等最低限のデータだけを身元確認サーバ１へ登録し、その後の追跡データも順次追加入力を行ってデータ更新を可能とすることでタイムリーな情報を迅速かつ簡易に提供することができる。ＱＲコードに対応させた個人識別番号によって身元不明者の情報が一元管理されるのである。
【００５８】
この時身元不明者のＱＲコード読み取りを行うのは災害現場で指揮をする救急隊員や医療従事者、ＮＰＯ等のボランティア団体等（これらをここでは「災害時現場管理者６１」と呼ぶ）が考えられる。また、広範囲で災害が起こった時は複数の災害時管理者を統括する災害本部（災害時統括管理者６２）が設けられることが一般的である。
【００５９】
災害時現場管理者６１も災害時統括管理者６２も事前に管理者専用ＱＲコードの発行手続が済まされている事が望ましい。警察や自治体等は非常時に備えて身元確認サーバへのアクセス専用ＱＲコードが発行されている場合が多いと考えられるが、臨時且つ時限的に発生する現場管理者６１や統括管理者６２は災害発生時に管理者専用ＱＲコード発行手続
を行う。
【００６０】
災害時現場管理者６１は、発行された管理者専用ＱＲコードを読み取り専用のＵＲＬへ接続する（Ｓ４８）。身元確認サーバ１が示したメニュー（Ｓ４９）を選択、災害現場で発見・収容した身元不明者が身につけている身元確認シールからＱＲコードを読み取ると（Ｓ５０）身元不明者の登録データが表示される（Ｓ５１）。
【００６１】
この時表示されるデータはユーザー登録時に登録されたすべてで有る必要はなく、災害時には一般公開される可能性があることが事前に説明され、表示可能な最小限のデータ等ユーザーが適宜選択可能である。災害時現場管理者６１は表示された登録データの修正、追加（Ｓ５２）を行う。追加事項としては発見・収容された身元不明者の現状、収容先病院名、避難先等である。身元確認サーバ１からデータ確認画面が送信されると（Ｓ５３）これを確認した災害時現場管理者６１はデータ決定し（Ｓ５４）、身元確認サーバ１から設定完了画面が送信されて（Ｓ５５）、災害用現場管理者登録情報変更処理が完了する。
【００６２】
災害時統括管理者６２における身元確認者の登録情報変更処理手続は、図７に示すように、発行された管理者専用ＱＲコードを読み取って専用ＵＲＬへ接続する（Ｓ５６）。身元確認サーバ１から示されたメニューから（Ｓ５７）、データ照会を選択（Ｓ５８）、身元確認サーバ１は身元不明者に関する最新の登録データを表示する（Ｓ５９）。最新の登録データとは災害時に災害時現場管理者６１によって追加、修正等された身元不明者に関する情報である。災害時統括管理者６２は、該当データの追加、修正を行い、ダウンロードを選択する（Ｓ６０）。身元確認サーバ１がデータを確認し、ダウンロード画面を送信すると（Ｓ６１）、災害時統括管理者６２は修正後データを確認し、ダウンロードを行う（Ｓ６２）、身元確認サーバ１はダウンロード完了画面を送信して（Ｓ６３）、登録情報変更処理が完了する。災害時統括管理者６２はダウンロードした身元不明者の情報を一般公開して身元不明者の家族、親戚、友人達等の閲覧を可能にし、被災者の迅速な安否確認を容易にするのである。
【００６３】
続いて、徘徊者等が発見、保護され、身元確認が行われてから身元引き取りまでの手順について説明する。本願のシステムではＱＲコードを読み取っても身元確認サーバのＵＲＬが表示されるだけで、個人識別番号やユーザーが開示を希望しない情報は表示されないためプライバシーを保護すると同時に、確実且つ迅速に被捜索人の家族、保護者が被捜索人の身元を確認できるように考案されている。
【００６４】
ここでは発見者がＱＲコードを読み取り、それがどのようなステップを経てユーザーへ連絡され、被捜索人の身柄引き取りに至るかを説明する。
【００６５】
処理は身元確認サーバ１の身元確認部１４で行われる。
【００６６】
まず、徘徊者用身元確認から説明する。徘徊者用身元確認は発見者とユーザーが直接連絡を取り合う、直接身元確認処理と発見者とユーザーとの間に老人施設や医療施設等の仲介者が存在する間接身元確認処理がある。
【００６７】
被捜索者の家族等が直接照会者に連絡を取り、身柄引き取りに関する手続を行う直接身元確認処理は、迅速な対応が可能となる一方で、ユーザー自身が高齢者である場合や被捜索者の保護場所が遠方等の場合は迅速な対応ができない恐れがある。そこで、引き取りに際し、あらかじめ仲介者である老人介護施設、または地方公共団体等に照会者との連絡、引き取りに関する業務を委託する間接身元確認方法が有効である。各地方公共団体の担当部署が相互連携することで迅速な対応が期待できると考えられる。
【００６８】
一方、被捜索人保護通知後、ユーザーが迅速に発見者の連絡先に連絡を取ることが望まれるが、これに気付かず放置した場合は、ＱＲコード認証結果記憶部へのアクセス履歴が記憶されない、または所定時間アクセス履歴がない時は身元確認サーバ側から自動的或いは人為的にユーザーへ緊急連絡が通知されるシステムを構築しておくと安心である。
【００６９】
仲介者が存在する間接身元確認処理は図８のシーケンス図に詳細に記載されている。ここでいう仲介者とは図３及び図４における大口の個別登録を行うユーザー５２である場合がほとんどである。徘徊等行方不明になる恐れのある人は福祉施設、ディサービスセンター・病院等の医療関係施設の利用者であることが多く、身元確認シールの配布やＱＲコードの登録事務も当該仲介者が徘徊のおそれのある者、あるいはその家族に代わって行なう。
【００７０】
ここで照会者６とは身元不明者を保護した発見者又は発見者が身元不明者の保護を依頼した警察、自治体等の担当部署が該当する。
【００７１】
照会者６は徘徊している身元不明者を保護すると、身元不明者の体、持ち物等に貼着された身元確認シールに記載されている、身元不明者を発見時に行ってもらう処理と手順に関する説明に従いＱＲコードを読み取る。すると身元確認サーバの専用ＵＲＬが表示される（Ｓ６４）。照会者が身元確認サーバへ接続すると同時にＱＲコードに対応した個人識別番号を身元確認サーバ１が自動認識し、認識された個人識別番号に関連付けて登録され、且つ、ユーザーの意思により公開可とされた情報だけが照会者端末に表示される。この時仲介者が連絡可能な、照会者の連絡先を表示してくれるように依頼する文面も表示される。
【００７２】
例えば、身元不明者を発見、保護してくれたお礼、以後の手順が表示、身柄引き取りには照会者の連絡先が必要となる旨の御断り文等が表示される。
【００７３】
照会者が自分の連絡先を安易に通知することをためらう場合も想定できるが、身元不明人を発見、保護した場合は最寄りの交番や役所に連絡することが通常であるため、身元確認サーバへ通知される連絡先は地元警察、市役所や役場等の地方公共団体となることがほとんどであり、ＱＲコードの読み取りと、身元確認運営サーバへのアクセス、連絡先（警察等）だけを入力すれば良いため、ユーザーや身元確認サーバとのやり取りを回避することができ、過度の負担や責任を負うことはないものと考えられる。但し、入力連絡先となる公共機関へは事前に連絡を取り、被捜索人の受け渡しと共に事情を説明しておく必要がある。又あらかじめ被捜索人と共に上記公的機関へ出向き、公的機関の端末を使用して身元確認サーバへのアクセス処理を行うことも考えられる。
【００７４】
身元不明者が発見されると、個人レベルでの対応が困難であるため上記、公共団体への身元不明者発見の連絡、公共団体の指示に従い、身柄引き渡しが完了している場合がほとんどであると考えられ、ＱＲコードを読み取って照会手続を行うのは当該公共団体等である。
【００７５】
照会者６（個人、団体）は身元確認サーバ１の指示に従い、ＱＲコードを読み取り、専用ＵＲＬへ接続する。身元確認サーバ１の身元確認部１４は個人識別番号を自動認識し、身元確認時に表示可として登録されたユーザーの公開情報だけを照会者端末へと表示する（Ｓ６５）。身元不明者の家族等ユーザーが直接照会者と接触しない、この間接身元確認処理では前記仲介者５２の電話番号やＵＲＬ等が表示される。照会者の端末に表示された身元確認サーバ１の身元確認メニューへ、照会者６が開示された仲介者名を入力・送信すると、身元確認サーバ１は身元不明者の保護を仲介者へ通知するのである（Ｓ６６）。
【００７６】
身元確認サーバ１は照会者６が身元不明者の体に貼着された身元確認シールのＱＲコードを読み取った時点で身元不明者に関する情報が把握できているため、その情報と併せて照会者６への連絡方法等が仲介者へ通知されるのである。
【００７７】
保護された身元不明者の氏名等と照会者の連絡方法を通知された仲介者は、直ちに照会者６へ連絡を取り、身柄を引き取りに行く場合もあるが（Ｓ７３）、身元不明者家族が直接身柄引き取りを要望する場合も考えられるのでユーザー登録された情報を確認する必要が生じる。
【００７８】
そこで、身元確認サーバ１から身元不明者保護通知を受領した仲介者５２は、身元確認サーバ１へアクセスし（Ｓ６７）、ＩＤ・パスワード入力或いは管理者専用ＱＲコードを使用してログインを行い、表示されたメニュー（Ｓ６８）からユーザー検索を選択（Ｓ６９）し、表示されたユーザー検索画面（Ｓ７０）でユーザー検索を実行し（Ｓ７１）身元確認サーバ１が表示したユーザー情報画面（Ｓ７２）からユーザー情報を取得するのである。
【００７９】
仲介者は照会者と連絡を取り合いながら身元不明者の身柄引き取りを行う（Ｓ７３）と同時に身元不明者に関する情報をユーザーへ連絡するのである（Ｓ７４）。身柄引き取り作業が仲介者へ依頼されている場合は、仲介者が身柄引き取りを行い、ユーザー自身が身柄引き取りを希望している場合はユーザーが直接照会者の下へ身元不明者を引き取りに出向くのである（Ｓ７５）。上記手順を踏んで、身元確認結果が身元確認サーバの記憶部１４へと格納されて身元確認処理が終了する。
【００８０】
身元不明者発見時に身柄引き取りを直接行うことを希望するユーザー１は照会者が身元不明者に貼着されたＱＲコード読み取り時にユーザー１への連絡方法を表示する。表示された連絡先へ照会者が連絡を取ることでユーザーによる身柄引き取りが行われ、身元確認結果が身元確認サーバへ１の記憶部１３に格納されるのである（図示せず）。
【００８１】
地震、津波、台風などの自然災害や大規模火災等に家族が巻き込まれた時の安否確認を行う、災害用身元確認処理について説明する（図９）。
【００８２】
ユーザー５はユーザー端末から身元確認サーバ１へアクセスし（Ｓ７６）、ＩＤやパスワード入力処理を行うと身元確認サーバ１は登録されたデータを表示する（Ｓ７７）。ユーザー５は表示された情報を閲覧・確認するのである（Ｓ７８）。
【００８３】
災害本部が多数の身元不明者の最新のデータを管理し、適宜情報公開がされているため、安否確認を行いたい親戚、知人、友人等が公開情報を閲覧でき、知人の安否確認、収容先病院、避難先等を知ることができるのである（図１０）。
【００８４】
災害本部６２が公開した情報（Ｓ７９）を一般の人でも閲覧可能にすることで（Ｓ８０）誰でも知り合いの安否確認が行えるのである。
【００８５】
また、アミューズメントパークやイベント会場等迷子が発生する可能性のある場所では迷子のアナウンスが行われなかったり、聞き取れなかったりすることがあり、迷子を発見しても保護者への通知が容易でないことがある。そのような時でも例えば入場の際に迷子身元確認システムに登録を行い、身元確認シールを子供の体や持ち物に貼着しておくと、発見時に迅速に保護者への連絡が可能となるのである。また、迷子アナウンスによる遊園地の環境やイベントへの影響を与えることがないのである。
【００８６】
ここで管理者として記載しているのはイベント会社や遊園地を経営する会社又はこれら
の会社から委託を受けた迷子捜索を専門とする業者等個々のスタッフである。
【００８７】
迷子の子供を発見した管理者は事前に発行されている管理者専用ＱＲコードの読み取りを行い、専用ＵＲＬへ接続すると（図１１のＳ８１）、専用のメニューが身元確認サーバ１から示される（Ｓ８２）。ここで迷子の子供の体に貼着された身元確認シールのＱＲコードを読み取ると（Ｓ８３）ユーザー（保護者、幼稚園、学校等）によって入力された登録データが表示される（Ｓ８４）、このデータに記載された所定の連絡方法により保護者等、又は迷子対策本部へと迷子を保護している旨を連絡するのである（Ｓ８５）。
【産業上の利用可能性】
【００８８】
本願の身元確認システムは徘徊のおそれがある人だけでなく、迷子になった子供やペット、紛失物の捜索に利用することができる。
【符号の説明】
【００８９】
１、  身元確認サーバ
２、  ユーザー端末
３、  照会者端末
４、  インターネット
５、  ユーザー
６、  照会者（発見者・保護者）
１１、身元確認サーバのユーザー情報登録部
１２、身元確認サーバのユーザー情報変更部
１３、身元確認サーバの記憶部
１４、身元確認サーバの身元確認部
５１、個人ユーザー
５２、大口ユーザー（老人保護施設、地方公共団体、警察など）
６１、災害用救急隊等（災害用現場管理者）
６２、災害本部（災害時統括管理者）
【図１】
0003199862.tif 000003
【図２】
0003199862.tif 000004
【図３】
0003199862.tif 000005
【図４】
0003199862.tif 000006
【図５】
0003199862.tif 000007
【図６】
0003199862.tif 000008
【図７】
0003199862.tif 000009
【図８】
0003199862.tif 000010
【図９】
0003199862.tif 000011
【図１０】
0003199862.tif 000012
【図１１】
0003199862.tif 000013
【手続補正書】
【提出日】平成27年7月17日(2015.7.17)
【手続補正１】
【補正対象書類名】明細書
【補正対象項目名】００１３
【補正方法】変更
【補正の内容】
【００１３】
QRコード（登録商標）が印刷された身元確認シールによって身元捜索、確認ができるため安価且つ容易に身元確認が可能である。また、請求項１記載の二次元コードシールにはQRコード（登録商標）を表示したシール以外にもNFCタグシール等が含まれる。またこれらの二次元コードシールをプラスチックカード等の硬質薄型カードに貼り付けて持ち運べば嵩張らず、シールの耐久性も向上するのである。